(57)【要約】【課題】水の跳ね上がりを防止可能な照明器具を提供する。【解決手段】  上部が開口した水槽の水中を照らす照明器具であって、ランプ１３及びランプ１３が収納されて防水構造を有する灯具本体１１からなる灯具１と、灯具１が露設される筐体２と、先端側に筐体２が支持されるアーム３と、アーム３の後端側が支持される可動ベース４と、水槽の開口周縁に固定されて可動ベース４が支持される固定ベース５とを備え、固定ベース５は、開口周縁から開口側へ突出する防水板５ａが形成されることを特徴とする照明器具。【選択図】図１
2012174423.tif 000002
【特許請求の範囲】
【請求項１】
上部が開口した水槽の水中を照らす照明器具であって、
光源及び当該光源が収納されて防水構造を有する灯具本体からなる灯具と、
当該灯具が露設される筐体と、
一端側が前記貯蔵ピットの開口周縁に固定されて他端側に前記筐体が回転自在に支持される回転機構と、
前記開口周縁から開口側へ突出する第一の防水板とを備えることを特徴とする照明器具。
【請求項２】
前記水槽の内周面側へ突出する第二の防水板が形成されることを特徴とする請求項１記載の照明器具。
【発明の詳細な説明】
【技術分野】
【０００１】
本発明は、原子炉及びその関連設備等の保守点検作業を実施する場合に水中を照らす照明器具に関する。
【背景技術】
【０００２】
近年、原子力発電所等における定期的な保守点検作業が一般的に行われており、当該保守点検作業の一つに、水を満たした所謂貯蔵ピットに原子炉の使用済み燃料棒を搬入搬出する作業がある。当該作業では、水中にある燃料棒を目視で確認しながら搬入搬出を行う必要がある。そのため、貯蔵ピットの外にいる作業者が、水中にある燃料棒を確認（目視）できるように、水中にある燃料棒を照らす照明器具が提案されている（例えば特許文献１参照）。上記照明器具は、少なくとも一部が浸水した状態で用いられる。
【先行技術文献】
【特許文献】
【０００３】
【特許文献１】特開平８−１５３４０２号公報
【発明の概要】
【発明が解決しようとする課題】
【０００４】
ところで、貯蔵ピット内の水は、使用済み燃料棒に触れたものであることから当該水が作業者にかかることは好ましくない。しかしながら、照明器具を浸水させる際、水面に照明器具が衝突する時の衝撃で貯蔵ピット内の水が作業者のいる開口周縁まで跳ね上げられる虞があった。
【０００５】
本発明は、上記事由に鑑みてなされたものであり、その目的は、水の跳ね上がりを防止可能な照明器具を提供することにある。
【課題を解決するための手段】
【０００６】
上記課題を解決するために本発明の照明器具は、上部が開口した水槽の水中を照らす照明器具であって、光源及び当該光源が収納されて防水構造を有する灯具本体からなる灯具と、当該灯具が露設される筐体と、一端側が前記貯蔵ピットの開口周縁に固定されて他端側に前記筐体が回転自在に支持される回転機構と、前記開口周縁から開口側へ突出する第一の防水板とを備えることを特徴とする。
【０００７】
この照明器具において、前記水槽の内周面側へ突出する第二の防水板が形成されることが好ましい。
【発明の効果】
【０００８】
本発明では、水の跳ね上がりを防止可能な照明器具を提供することができるという効果がある。
【図面の簡単な説明】
【０００９】
【図１】本発明の実施形態における照明器具に防水板を付けた形態の斜視図を示す。
【図２】同上における照明器具の側面図を示す。
【図３】同上における照明器具の正面図を示す。
【図４】同上における照明器具が備える灯具の分解斜視図を示す。
【図５】同上における照明器具の側面図を示す。
【図６】同上における照明器具の要部拡大図を示す。
【図７】同上における照明器具の上面図を示す。
【図８】同上における照明器具の側面図を示す。
【図９】同上における照明器具のメンテナンス位置での側面図を示す。
【図１０】同上における照明器具の別形態における要部拡大図を示す。
【図１１】同上における照明器具の斜視図を示す。
【発明を実施するための形態】
【００１０】
以下、本発明の実施の形態を図面に基づいて説明する。
【００１１】
（実施形態）
本実施形態の照明器具は、例えば原子炉で用いられる燃料棒が搬入搬出される上面が開口した函体状の貯蔵ピット（以下、ピットと称する）の近傍に配置され、一部が浸水されて水中を照射するものである。以下、本実施形態の照明器具について図面を用いて説明を行う。なお、以下の説明では、図３における上下左右を基準とし、上下左右方向に直交する方向を前後方向として説明を行う。本実施形態の照明器具は、図２，３に示すように、灯具１と、灯具１が一面に設けられる筐体２と、筐体２が回転自在に支持されるアーム３と、アーム３が回転自在に支持される可動ベース４と、可動ベース４が回転自在に支持される固定ベース５とを備える。
【００１２】
灯具１は、図４に示すように略円筒状の灯具本体１１と、灯具本体１１の一端側開口に覆設される反射鏡１２と、ランプ１３と、ランプ１３が着脱自在に装着されるソケット１６と、枠体１４とを備える。
【００１３】
灯具本体１１は、例えばアルミ等の熱伝導率の高い材料から形成され、一端に図示しないねじ孔が複数形成された鍔部１１ａが形成されており、当該鍔部１１ａ上に反射鏡１２が載置される。反射鏡１２は、略半球状に形成されて凹面側が鏡面に形成された鏡面体１２１と、鏡面体１２１の開口周縁から鏡面体１２１と反対方向へ膨出して略ドーム状に形成されて鏡面体１２１の開口に覆設されるガラス体１２２とから構成される。ソケット１６は、灯具本体１１の他端側に配設されてランプ１３へ所望の点灯電力を供給する。ランプ１３は、先端側の発光部分が鏡面体１２１の略中央に形成される図示しない貫通孔を貫通して鏡面体１２１とガラス体１２２との間に位置する。枠体１４は、略円環状に形成されて周縁部に複数の図示しないねじ挿通孔が形成される。そして、当該ねじ挿通孔に挿通されたねじ１５が、鍔部１１ａに形成されたねじ孔に締めこまれることで、枠体１４が灯具本体１１に固定される。また、枠体１４の先端面には、ガラス体１２２を保護するための格子状の網体１４１が覆設されている。
【００１４】
筐体２は、略直方体状に形成され、一面（図３における下面）に灯具１が２つ左右に並設される。ここで、筐体２の内部と灯具本体１１の内部とが連通し、筐体２と灯具１との間は、防水処理が施される。なお、灯具１と筐体２とは一体に形成されていてもよい。また、図３に示すように、筐体２は、その内面に漏電ブレーカ２１が配設され、当該漏電ブレーカ２１の２次側端子とソケット１６とが電源線２２を介して接続される。また、漏電ブレーカ２１は、灯具本体１１の内面に配設される温度ヒューズ１１１に電気ケーブル２３を介して接続されている。そして、漏電ブレーカ２１の1次側端子には、筐体２の前面を貫通して当該筐体２内に引き込まれる給電線２４が接続される。また、筐体２の左右側面には、略コの字状の支持部２５が各々形成されている。支持部２５は、筐体２の左右側面に対向する矩形板状の基部２５１と、当該基部２５１の前後両端から筐体２の側面へ向けて延設されて先端部に外方向へ折曲された折曲部２５３が形成された延設部２５２とからなる。そして、折曲部２５３が、例えば溶接等によって筐体２の左右側面に固着される。また、基部２５１の略中央には挿通孔２５ａが形成され、挿通孔２５ａの下方には図示しないねじ孔が形成される。
【００１５】
また、筐体２は、その側面（後面）から当該筐体２の左右方向の幅寸法よりも大きな寸法を有する防水板２ａをピットの周壁へ向けて突設してもよい。これにより、筐体２の表面に沿ってせり上がってくる水が防水板２ａに当ってピットの開口周縁までの跳ね上がりが防止される。なお、防水板２ａは、筐体２に一体に形成されていてもよい。
【００１６】
アーム３は、略矩形板状に形成されて一対の支持部２５に各々対向する一対のアーム部３１と、一対のアーム部３１間を接続する連結部３２とから構成される。アーム部３１は、先端の一方側（図２における下方）の側縁に半円状の突片３１１が突設され、当該突片３１１の直径の中心に挿通孔３１ａが形成され、その下方には、挿通孔３１ａと同心となる円の円周に沿う円弧状の長孔（第一の規制手段）３１ｂが形成される。そして、挿通孔３１ａには、例えば頭付きピンなどのピン６１が挿通されて図示しない割りピンやスナップピンによってピン６１の抜け止めがなされ、ピン６１を回転中心としてアーム３に対して筐体２が回転自在に支持される。なお、ピン６１は、頭付きピンに限定されず、アーム３に対して筐体２を回転自在に支持可能であれば他のものであってもよく、例えばねじとナットを用いたものであってもよい。また、長孔３１ｂには、ねじ６２が挿通されて当該ねじ６２が支持部（基部２５１）２５に形成されたねじ孔に締めこまれる。なお、ねじ６２を固定する方法は締め付け固定に限定されず、ねじ６２は、ねじ部が全て締め困れず、ねじ頭とアーム部３１との間に所定の隙間が形成される位置で例えばねじロックやダブルナット等の方法を用いて固定される。これにより、筐体２を回転させた際、ねじ６２が長孔３１ｂ内を移動し、当該ねじ６２が長孔３１ｂの長手方向の各端部に当接することで筐体２の回転範囲が規制される。つまり、長孔３１ｂの長さによって筐体２の回転範囲が設定される。本実施形態では、後述の照射位置において筐体２に設けられた灯具１の光軸Ｘが、水面に対して略垂直となる位置から水面に対して前方側へ４０度傾く位置の範囲で調整可能となるように長孔３１ｂの長さが設定されている（図５参照）。
【００１７】
また、一対のアーム部３１間には、軸方向が左右方向（後述の水面と平行となる方向）となる握り棒（第二の握り棒）３２４が設けられ、一対のアーム部３１の互いに対向する面に握り棒３２４の両端が各々固定される。連結部３２は、一対のアーム部３１の後端間を接続する矩形板状の連結片３２１及び連結片３２１の上端から後方へ向けて延設される矩形板状の延設片３２２から略Ｌ字に形成されるベース部３２０と、連結片３２１の後面と延設片３２２の下面とを接続する略三角形状の補強部３２３とからなる。
【００１８】
可動ベース４は、図６に示すように、アーム３の延設片３２２の上面に対向する矩形板状のベース板４１と、当該ベース板４１の左右両端を上方へ各々折曲してなる一対の折曲部４２とからなる。ベース板４１は、その略中央に図示しない挿通孔が形成されて当該挿通孔を挿通してアーム３の連結部３２に締め困れるねじ７０が挿通し、ねじ７０を中心とする円の円周に沿って形成される一対の長孔（第二の規制手段）４１ａが、後方に並設されている。ここで、ねじ７０によってアーム３は、可動ベース４に対して回転自在に支持される。そして、一対の長孔４１ａには、ねじ６３が挿通され、アーム３を所望の位置に回転させた状態でねじ６３が延設片３２２に形成される図示しないねじ孔に締め込まれることでアーム３の回転が規制されて当該アーム３が可動ベース４に固定される。ここで、アーム３の回転範囲は、長孔４１ａの長さによって設定され、アーム３がねじ７０を回転中心として左右に各々３０度づつ回転可能となるように長孔４１ａの長さが設定されている（図７参照）。
【００１９】
また、ベース板４１と延設片３２２との間には矩形板状の弾性部材６４が介装されている。ここで、灯具１が浸水される後述の照明位置では、灯具１を介して筐体２が浮力を受けて当該浮力によってアーム３が筐体２から上方向の力を受け、弾性部材６４がアーム３と可動ベース４とに狭持される。これにより、アーム３と弾性部材６４との間、及び可動ベース４と弾性部材６４との間の摩擦力が大きくなり、アーム３の位置調整を行った後の当該アーム３の位置ずれを防止することができる。なお、アーム３の位置調整を行いたい場合には、筐体２を下方へ押圧することで上記摩擦力を低減することができ、アーム３を容易に回転させて調整を容易に行うことができる。
【００２０】
また、折曲部４２は、その内面後端側に溶接ナット４２ａが固着されて当該溶接ナット４２ａのねじ孔と同軸となる挿通孔４２ｃが形成されている。また、一対の折曲部４２のうちのいずれか一方（本実施形態では左側の折曲部４２）には、溶接ナット４２ａの前方に後述のアイボルト６７が挿通される溶接ナット４２ｂが固着されている。
【００２１】
また、ベース板４１の前端側略中央には、可動ベース４の急な回転を防止するダンパ６５の一端を支持するための支持台４３が設けられている。なお、ダンパ６５の構成については周知であるための説明を省略する。支持台４３は、ベース板４１に固着される基部４３１と、基部４３１の左右両端から上方へ向けて各々延設される支持片４３２とからなる。支持片４３２は、左右方向において互いに対向して挿通孔４３ａが各々形成されている。そして、ダンパ６５の一端に設けられている軸体６５ａが、挿通孔４３ａに回転自在に軸支されている。また、可動ベース４には、長尺の丸棒を略コの字状に折曲して形成され、一対の折曲部４２の各内面に各端部が各々固着される握り棒（第一の握り棒）４４が設けられている。握り棒４４は、各折曲部４２に固着される一対の固定片４４１と一対の固定片４４１を連結する連結片４４２とからなる。ここで、握り棒４４は、図２に示す位置（後述の照明位置）において前方に突出し、ピットの水面と略平行に設けられている。
【００２２】
固定ベース５は、矩形平板状のベース板５１と、ベース板５１の上面に左右に並設される一対の支持板５２と、一対の支持板５２間に設けられる補強部材５３とから構成される。ベース板５１は、その左右両端に２つの挿通孔５１ａが前後方向にそれぞれ並設されており、当該挿通孔５１ａがピットの開口周縁に突設されたねじ体６８に挿通されて当該ねじ体６８にナット６９が締めこまれることで固定ベース５が開口周縁に固定される。支持板５２は、前端側に挿通孔５２ａが形成され、当該挿通孔５２ａに挿通されたねじ６６（図２参照）が可動ベース４の溶接ナット４２ａに締め込まれて例えばダブルナット等によって固定されることで、固定ベース５に可動ベース４が回転自在に支持される。ここで、可動ベース４は、握り棒４４が突出する一端側とは反対側の他端側が補強部材５３の前側側面に当接することで、一方向（一端側が下方へ移動する方向）への回転が規制される。以下、上記で示した、可動ベース４の他端が補強部材５３の側面に当接して一方向への回動が規制される際の可動ベース４の位置を照明位置と称する（図２、５参照）。
【００２３】
また、一対の支持板５２のいずれか一方（本願では左側の支持板５２）には、上記挿通孔５２ａの前方及び後方にアイボルト６７が挿通される挿通孔５２ｂがそれぞれ形成されている。ここで、照明位置では、前側の挿通孔５２ｂに挿通されたアイボルト６が、当接ナット４２ｂに締めこまれることで、可動ベース４が固定される。
【００２４】
補強部材５３は、略矩形箱型に形成されて左右両端が一対の支持板５２にそれぞれ固着され、更に、下端がベース板５１に固着されている。また、補強部材５３は、上面の左右略中央に前端から後端にかけて矩形状の切り欠き５３ａが形成されている。
【００２５】
また、補強部材５３の前面には、ダンパ６５の他端を支持するための一対の支持台５４が設けられている。支持台５４は、補強部材５３の前面に固着される固定片５４１と、固定片５４１の一端が前方へ折曲されてなる折曲片５４２とから略Ｌ字状に形成されている。ここで、一対の支持台５４は、その折曲片５４２が左右方向において互いに対向し、一対の折曲片５４２には、前後方向に長い長孔５４ａが各々形成されている。そして、ダンパ６５の他端に設けられている軸体６５ｂが、長孔５４ａに回転自在に軸支されている。
【００２６】
また、図９に示すように、固定ベース５には、筐体２の左右方向の幅寸法よりも大きな幅寸法を有する防水板５ａが設けられている。ここで、例えば筐体２または灯具本体１が水面に衝突した時にピット内の水が跳ね上げられる場合があり、ピット内の水は使用済み燃料棒に触れているものであることから当該水が作業者にかかることは好ましくない。跳ね上げられる水は、主にピットの周壁に沿ってせり上がってくるが、防水板５ａを設けることで跳ね上げられた水が防水板５ａの下面に当たりピットの開口周縁までの跳ね上がりが防止される。これにより、ピット内の水が作業者にかかることを抑制でき安全性を高めることができる。なお、防水板５ａは、固定ベース５に一体に形成されていてもよい。
【００２７】
次に、本実施形態の照明器具の使用方法について説明を行う。まず、照明器具を使用する際には、可動ベース４を照明位置とし、筐体２をアーム３に対して回転させて且つ可動ベース４に対してアーム３を回転させることで、灯具１の光軸Ｘを所望の照射方向に調整する。また、照明器具のメンテナンスを行う際には、図８に示すように、作業者が握り棒４４を引き上げることで可動ベース４が他方向へ回転して当該回転に伴って筐体２がピット内から引き上げられる。続いて、握り棒４４から握り棒３２４に持ち替えて当該握り棒３２４を後方へ引き寄せて可動ベース４における折曲部４２の先端が、固定ベース５における補強部５３の上面に当接する位置（図９参照）まで可動ベース４を回転させる。ここで、可動ベース４は、折曲部４２が補強部５３に当接することで他方向への回動が規制される。このように、２つの握り棒４４，３２４を備えて可動ベース４の回転を行う際に当該２つの握り棒４４，３２４を持ち替えることで回転作業を容易に行うことができる。
【００２８】
また、ダンパ６５が設けられていることで、上記回転作業を行う際、ダンパ６５が設けられていない場合に比べて作業者がより小さな力で作業を行うことができ、メンテナンス作業をより容易に行うことができる。
【００２９】
以下、折曲部４２が補強部５３に当接する際の位置をメンテナンス位置と称する。メンテナンス位置において、固定ベース５の挿通孔５２ｂに挿通されたアイボルト６７が可動ベース４の溶接ナット４２ｂに締め込まれることで、可動ベース４が意図せず照明位置側へ回転することを防止することができ安全性が向上している。
【００３０】
上記構成からなる本実施形態の照明器具は、上記特許文献１の照明器具のようにメンテナンス時にクレーンを用いる必要が無く、また、上記特許文献２の照明器具のようにメンテナンス時にピット内へ身を乗り出して各部品の着脱を行う必要もない。このように、本実施形態の照明器具では、可動ベース４をメンテナンス位置まで回動させることで灯具１をピットの開口周縁まで容易に移動させることができ、灯具１が備えるランプ１３の交換等のメンテナンス作業を安全且つ容易に行うことができる。また、ピット側へ身を乗り出して部品の着脱作業をすることがなく、部品を水中へ落下させることもない。
【００３１】
また、メンテナンス位置において、ダンパ６５が、補強部材５３の切り欠き５３ａ内に収納されることから、メンテナンス位置において上下方向の寸法を抑えることができる。
【００３２】
また、ダンパ６５の軸体６５ｂは、長孔５４ａに支持されていることから可動ベース４をメンテナンス位置から照明位置へ回転させる際にダンパ６５が縮むことで当該ダンパ６５に発生する反力を軸体６５ｂが長孔５４ａ内を移動することで低減することができる。これにより、可動ベース４の急激な回転を防止することができて安全性を向上させることができる。
【００３３】
また、照明位置において、握り棒４４が水面と略平行に設けられていることからピットの開口面から上方への突出寸法を抑えることができる。
【００３４】
また、防水板５ａに加えて防水板２ａが形成されていることで、跳ね上げられた水が開口周縁にいる作業者側へ到達することをより抑制することができ安全性をより向上させることができる。
【００３５】
また、図１０に示すように、支持台４３の下面に矩形板状のスライド板７１を固着して当該スライド板７１が着脱自在に係止される係止部材７２を可動ベース４に設けてもよい。係止部材７２は、一方の側面（本実施形態では右側面）が開口した中空矩形箱型に形成され、更に、上面の一方の端部から他端側へ向かって矩形状の切り欠き７２ａが形成されて切り欠き７２ａの前後にスライド板７１に係止する係止片７２ｂが各々形成される。そして、スライド板７１は、係止部材７２の一方側から当該係止部材７２内へ挿入されて支持台４３が切り欠き７２ａ内を移動すると共に、スライド板７１の前後両端が一対の係止部７２ｂに係止される。これにより、ダンパ６５の一端を可動ベース４に対して着脱自在に設けることができる。同様にして、固定ベース５における補強部材５３の側面に係止部材７２を固着して、支持台５４にスライド板７１を固着することで、ダンパ６５の他端を固定ベース５に対して着脱自在とすることができる。これにより、複数の照明器具が設置されている場合であっても、全ての照明器具にダンパ６５を設ける必要が無い。具体的には、可動ベース４を回転させる必要がある照明器具にダンパ６５を装着して必要が無くなり次第ダンパ６５を取り外し、取り外したダンパ６５を別の照明器具に再度装着することで、コストを抑えることができる。
【００３６】
また、図１１に示すように、可動ベース４の折曲部４２及び固定ベース５の支持板５２に略円弧状の係止部４２１、５２１を突設し、当該係止部４２１，５２１に両端が各々係止される鎖７３を設けることができる。鎖７３を用いることで、照明位置とメンテナンス位置との間に位置する可動ベース４を当該位置で停止させて筐体２及び灯具１の水切りを行うことができる。
【００３７】
なお、本実施形態では、ダンパ６５を可動ベース４の略中央に１つ設けているが、例えば可動ベース４の左右両端側にダンパ６５をそれぞれ設けていてもよい。
【符号の説明】
【００３８】
１  灯具
２  筐体
２ａ  防水板（第二の防水板）
３  アーム
４  可動ベース
５  固定ベース
５ａ  防水板（第一の防水板）
１１  灯具本体
１３  ランプ（光源）
【図１】
2012174423.tif 000003
【図２】
2012174423.tif 000004
【図３】
2012174423.tif 000005
【図４】
2012174423.tif 000006
【図５】
2012174423.tif 000007
【図６】
2012174423.tif 000008
【図７】
2012174423.tif 000009
【図８】
2012174423.tif 000010
【図９】
2012174423.tif 000011
【図１０】
2012174423.tif 000012
【図１１】
2012174423.tif 000013